(57)【要約】【課題】画像蓄積サーバーに蓄積された画像を迅速に印刷する。【解決手段】メール配信部１９０は、画像の識別情報をコード化した識別コードを含む電子メールを、携帯通信端末に設定されたメールアドレスを利用して、携帯通信端末４００へ配信する。画像取得部１３０は、プリント端末１００が識別コードを取得した場合、該識別コードに含まれる識別情報に対応する画像を画像蓄積サーバー３００へ要求することにより、該画像を画像蓄積サーバー３００から取得する。【選択図】図１
2013146915.tif 000002
【特許請求の範囲】
【請求項１】
画像と、該画像を識別するための識別情報とを対応づけて蓄積する画像蓄積サーバーと通信し、かつ、携帯通信端末に設定されたメールアドレスを利用して、電子メールを前記携帯通信端末へ配信するプリント端末であって、
前記プリント端末は、
画像を印刷する印刷部と、
前記印刷部により印刷された画像の識別情報をコードに変換した識別コードを少なくとも添付した電子メールを、前記メールアドレスを利用して、前記携帯通信端末へ配信するメール配信部と、
前記プリント端末が前記識別コードを取得した場合、該識別コードに含まれる識別情報に対応する画像を前記画像蓄積サーバーへ要求することにより、該画像を前記画像蓄積サーバーから取得する画像取得部と、を備え、
前記印刷部は、取得した前記画像を印刷する
プリント端末。
【請求項２】
前記メール配信部は、前記メールアドレスを利用して、前記識別コードと、前記印刷された画像のサムネール画像とを添付した電子メールを前記携帯通信端末へ配信する
請求項１に記載のプリント端末。
【請求項３】
前記印刷された画像の識別情報は、前記画像蓄積サーバーが前記印刷された画像を蓄積している期限である有効期限を含む
請求項１または２に記載のプリント端末。
【請求項４】
前記印刷された画像の識別情報は、前記印刷された画像のファイル名を含む
請求項１〜３のいずれか１項に記載のプリント端末。
【請求項５】
前記印刷された画像の識別情報は、パスワードを含み、
前記パスワードには、複数の画像が対応づけられ、
前記プリント端末は、前記パスワードに対応する前記複数の画像を、前記画像蓄積サーバーから取得し、
前記印刷部は、取得した前記複数の画像の少なくとも１つを印刷する
請求項１〜４のいずれか１項に記載のプリント端末。
【請求項６】
前記識別コードは、２次元コードまたはバーコードである
請求項１〜５のいずれか１項に記載のプリント端末。
【請求項７】
画像と、該画像を識別するための識別情報とを対応づけて蓄積する画像蓄積サーバーと通信し、かつ、携帯通信端末に設定されたメールアドレスを利用して、電子メールを前記携帯通信端末へ配信するプリント端末が行う画像印刷方法であって、
画像を印刷するステップと、
印刷された画像の識別情報をコードに変換した識別コードを少なくとも添付した電子メールを、前記メールアドレスを利用して、前記携帯通信端末へ配信するステップと、
前記プリント端末が前記識別コードを取得した場合、該識別コードに含まれる識別情報に対応する画像を前記画像蓄積サーバーへ要求することにより、該画像を前記画像蓄積サーバーから取得するステップと、
取得した前記画像を印刷するステップと、を含む
画像印刷方法。
【請求項８】
画像と該画像を識別するための識別情報とを対応づけて蓄積する画像蓄積サーバーと、携帯通信端末に設定されたメールアドレスを利用して、電子メールを前記携帯通信端末へ配信するプリント端末とを含むプリントシステムであって、
前記プリント端末は、
画像を印刷する印刷部と、
前記印刷部により印刷された画像の識別情報をコードに変換した識別コードを少なくとも添付した電子メールを、前記メールアドレスを利用して、前記携帯通信端末へ配信するメール配信部と、
前記プリント端末が前記識別コードを取得した場合、該識別コードに含まれる識別情報に対応する画像を前記画像蓄積サーバーへ要求する画像取得部と、を備え、
前記画像蓄積サーバーは、要求された画像を前記プリント端末へ送信し、
前記印刷部は、前記画像蓄積サーバーから取得した前記画像を印刷する
プリントシステム。
【発明の詳細な説明】
【技術分野】
【０００１】
この発明は、プリント端末、画像印刷方法およびプリントシステムに関し、特に、画像蓄積サーバーが蓄積している画像を印刷する処理を行うプリント端末、画像印刷方法およびプリントシステムに関する。
【背景技術】
【０００２】
従来のプリント端末（印刷サービスシステム）として、画像蓄積サーバーやカードメディアから読み出した画像を印刷するものがある（例えば、特許文献１参照）。
【先行技術文献】
【特許文献】
【０００３】
【特許文献１】特開２００４−１７８３９２号公報
【発明の概要】
【発明が解決しようとする課題】
【０００４】
しかしながら、特許文献１に記載の技術では、プリント端末が、サーバーに蓄積された画像を印刷する場合、画像が印刷されるまでに時間を要するという問題があった。具体的には、プリント端末に装備されたタッチパネル等を用いて、ユーザー毎に割り振られたユーザーＩＤと該ユーザーＩＤに対応するパスワードとをユーザーが入力する必要があるため、画像が印刷されるまでに時間を要するという問題があった。
【０００５】
この発明は、かかる問題点を解決するためになされたものであり、画像蓄積サーバーに蓄積された画像を迅速に印刷することができるプリント端末等を提供することを目的とする。
【課題を解決するための手段】
【０００６】
上記目的を達成するために、本発明の一態様に係るプリント端末は、画像と、該画像を識別するための識別情報とを対応づけて蓄積する画像蓄積サーバーと通信し、かつ、携帯通信端末に設定されたメールアドレスを利用して、電子メールを前記携帯通信端末へ配信するプリント端末であって、前記プリント端末は、画像を印刷する印刷部と、前記印刷部により印刷された画像の識別情報をコードに変換した識別コードを少なくとも添付した電子メールを、前記メールアドレスを利用して、前記携帯通信端末へ配信するメール配信部と、前記プリント端末が前記識別コードを取得した場合、該識別コードに含まれる識別情報に対応する画像を前記画像蓄積サーバーへ要求することにより、該画像を前記画像蓄積サーバーから取得する画像取得部と、を備え、前記印刷部は、取得した前記画像を印刷する。
【発明の効果】
【０００７】
本発明によれば、メール配信部は、画像の識別情報をコード化した識別コードを添付した電子メールを、携帯通信端末に設定されたメールアドレスを利用して、携帯通信端末へ配信する。画像取得部は、プリント端末が識別コードを取得した場合、該識別コードに含まれる識別情報に対応する画像を画像蓄積サーバーへ要求することにより、該画像を前記画像蓄積サーバーから取得する。
【０００８】
これにより、従来のように、ユーザーが、ユーザーＩＤ、パスワード等を入力する必要がないため、画像蓄積サーバーに蓄積された画像を迅速に印刷することができる。
【図面の簡単な説明】
【０００９】
【図１】本発明の実施の形態に係るプリントシステムの構成を示すブロック図である。
【図２】印刷処理のフローチャートである。
【図３】識別情報を説明するための図である。
【図４】サムネール画像の一例を示す図である。
【図５】ＱＲコード（登録商標）の一例を示す図である。
【図６】再印刷処理のフローチャートである。
【発明を実施するための形態】
【００１０】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１１】
まず、本発明の実施の形態に係るプリントシステム１０００の構成について、図を用いて説明する。図１は、本発明の実施の形態に係るプリントシステム１０００の構成を示すブロック図である。
【００１２】
図１を参照して、プリントシステム１０００は、プリント端末１００と、画像蓄積サーバー２００とを含む。なお、図１では、図面の都合上、プリントシステム１０００に含まれない、メールサーバー３００、携帯通信端末４００およびインターネット１１を示している。
【００１３】
携帯通信端末４００は、ユーザーが携帯可能な通信端末である。携帯通信端末４００は、例えば、携帯電話、スマートフォン等である。携帯通信端末４００は、文字、画像等を表示するための画面を有する。携帯通信端末４００は、電子メール等を送受信する機能、電子メールに添付された画像等を画面に表示する機能等を有する。
【００１４】
図１に示すように、プリント端末１００は、インターネット１１を介して、画像蓄積サーバー２００に接続されている。すなわち、プリント端末１００は、画像蓄積サーバー２００と通信する。プリント端末１００は、例えば、写真店等に設置される。
【００１５】
プリント端末１００は、制御部１０１と、表示部１１０と、音声出力部１２０と、画像取得部１３０と、料金精算器１４０と、印刷部１５０と、入力部１６０と、識別情報処理部１７０と、アドレス取得装置１８０と、メール配信部１９０と、識別情報取得部１９１と、ネットワークＩ／Ｆ（インタフェース）１０２とを備える。
【００１６】
制御部１０１は、ハードウェアおよびソフトウェアで構成される。制御部１０１は、プリント端末１００が備える各構成要素（例えば、表示部１１０）と接続されている。制御部１０１は、後述の各種処理を行う。例えば、制御部１０１は、各構成要素の状態の管理、各構成要素への指示等を行う。すなわち、制御部１０１は、プリント端末１００が備える各構成要素を制御する。
【００１７】
表示部１１０および音声出力部１２０は、画像および音声により、ユーザーに操作等の指示を提示する指示部として機能する。表示部１１０は、液晶ディスプレイ、ＣＲＴディスプレイ等である。表示部１１０は、プリント端末１００の状態に応じた画像を表示する。音声出力部１２０は、スピーカーである。
【００１８】
画像取得部１３０は、プリント端末１００に設けられた図示しない記録媒体挿入部に記録媒体が挿入された場合、当該記録媒体から画像を読み出す。当該記録媒体は、例えば、ＣＤ、ＤＶＤ、ＳＤメモリカード、コンパクトフラッシュ（登録商標）カード等である。
【００１９】
また、画像取得部１３０は、詳細は後述するが、画像蓄積サーバー２００から画像を取得（ダウンロード）するための処理を行う。
【００２０】
料金精算器１４０は、コインメック、ビルバリなどの現金投入型の課金機である。料金精算器１４０は、図示しない料金投入口を含む。料金精算器１４０は、ユーザーが料金投入口に投入した料金を精算する。なお、料金精算器１４０は、上記課金機に限定されず、Ｅｄｙ（登録商標）などの電子マネー対応機器であってもよい。
【００２１】
印刷部１５０は、昇華型プリンター、インクジェット型プリンター等である。印刷部１５０は、詳細は後述するが、シート状の印刷メディアに画像を印刷する。印刷メディアは、例えば、普通紙、保護層付き普通紙、シール紙などである。
【００２２】
入力部１６０は、ユーザーが、プリント端末１００に対し指示を与えるためのインタフェースである。入力部１６０は、タッチパネル、キーボード、マウスなどから構成される。ユーザーは、入力部１６０を用いた操作を行うことにより、メニューの選択、印刷枚数、画像の選択等の操作を行うことができる。以下においては、ユーザーが、入力部１６０を利用して行う操作を、操作Ｕという。
【００２３】
識別情報処理部１７０は、文字、数字等から構成される識別情報を、コードに変換した識別コードを生成する。識別コードは、例えば、画像で表現される２次元コード等である。当該２次元コードは、例えば、ＱＲコード（登録商標）である。なお、識別コードは、２次元コードに限定されず、例えば、バーコードであってもよい。以下においては、識別コードを、識別情報画像ともいう。
【００２４】
また、識別情報処理部１７０は、識別コードを解析することにより、識別コードに含まれる識別情報を取得する。
【００２５】
アドレス取得装置１８０は、磁気カード等に記録された情報を読み取ることが可能な磁気カードリーダーである。なお、アドレス取得装置１８０は、磁気カードリーダーに限定されず、例えば、光学リーダーであってもよい。
【００２６】
メール配信部１９０は、詳細は後述するが、情報を添付した電子メールを配信する。
【００２７】
識別情報取得部１９１は、図示しないカメラを有する。識別情報取得部１９１は、カメラを利用して、識別コードを光学的に読取る機能を有する。そして、識別情報取得部１９１は、読み取った識別コードを解析することにより、識別コードに含まれる識別情報を取得する。
【００２８】
ネットワークＩ／Ｆ１０２は、インターネット１１を介して、画像蓄積サーバー２００およびメールサーバー３００と通信する。
【００２９】
画像蓄積サーバー２００は、ネットワークＩ／Ｆ２０２と、蓄積部２１０と、制御部２２０とを備える。
【００３０】
ネットワークＩ／Ｆ２０２は、インターネット１１を介して、プリント端末１００およびメールサーバー３００と通信する。
【００３１】
蓄積部２１０は、データを蓄積（格納）する。蓄積部２１０は、例えば、ＨＤＤ（Hard disk drive）である。蓄積部２１０の詳細については、後述する。
【００３２】
制御部２２０は、メールサーバー３００内の各構成要素と接続される。制御部２２０は、メールサーバー３００内の各構成要素（例えば、蓄積部２１０）を制御する。また、制御部２２０は、後述の各種処理を行う。
【００３３】
制御部２２０は、識別情報処理部２２１と、有効期限管理部２２２とを含む。
【００３４】
識別情報処理部２２１は、詳細は後述するが、蓄積部２１０に蓄積されている各識別情報から、有効期限、パスワード等を抽出する。
【００３５】
有効期限管理部２２２は、詳細は後述するが、蓄積部２１０に蓄積されている各識別情報に含まれる有効期限が切れているか否かを監視している。
【００３６】
次に、記録媒体に記録された画像を印刷するための処理（以下、印刷処理ともいう）について説明する。ここで、記録媒体には、複数の画像が記録されているとする。
【００３７】
図２は、印刷処理のフローチャートである。
【００３８】
まず、ユーザーは、プリント端末１００に対し、画像を印刷するためのメニューを表示させるための操作Ｕを行う。これにより、表示部１１０が画像（メニュー）を表示し、音声出力部１２０は音声を出力することにより、ユーザーが行うべき操作の指示を、ユーザーに与える。
【００３９】
次に、プリント端末１００からの指示に従って、ユーザーは、複数の画像が記録された記録媒体を、図示しない記録媒体挿入部に挿入する。これにより、制御部１０１は、記録媒体を認識する（Ｓ１１０）。
【００４０】
次に、画像取得部１３０は、当該記録媒体から複数の画像を読み出す。表示部１１０は、読み出された複数の画像を表示する。以下においては、ユーザーが印刷を望む画像を、印刷対象画像ともいう。
【００４１】
次に、プリント端末１００からの指示に従って、ユーザーは、入力部１６０を用いて、表示されている複数の画像のうち、印刷対象画像を選択するとともに、当該印刷対象画像を印刷する印刷メディア、印刷サイズおよび印刷枚数の選択を行う。これにより、制御部１０１は、選択された印刷対象画像、印刷メディア、印刷サイズおよび印刷枚数を認識する（Ｓ１２０）。
【００４２】
印刷サイズは、写真店などで印刷可能なサイズである。印刷サイズは、例えば、葉書きサイズ（ポストサイズ）、Ｌ判、２Ｌ判等である。印刷枚数は、印刷対象画像を印刷する印刷メディアの数である。
【００４３】
次に、ユーザーは、入力部１６０を用いて、選択した印刷対象画像のうち、画像蓄積サーバー２００に蓄積（アップロード）する画像を選択する。以下においては、画像蓄積サーバー２００に蓄積する対象となる画像を、蓄積対象画像ともいう。これにより、制御部１０１は、蓄積対象画像を認識する（Ｓ１３０）。
【００４４】
次に、ユーザーは、入力部１６０を用いて、蓄積対象画像を識別するための識別情報の一部であるパスワードを設定する。これにより、識別情報処理部１７０は、設定されたパスワードを取得する（Ｓ１４０）。
【００４５】
ここで、パスワードの役割について説明する。
【００４６】
図３は、識別情報を説明するための図である。
【００４７】
図３（ａ）は、識別情報を構成する複数の情報が示される。図３（ａ）において、印刷日とは、印刷対象画像（蓄積対象画像）が印刷された日である。有効期限とは、画像蓄積サーバー２００が、印刷対象画像（蓄積対象画像）を蓄積している期限である。有効期限は、例えば、日付で表現される。ファイル名とは、印刷対象画像（蓄積対象画像）のファイル名である。
【００４８】
図３（ｂ）は、識別情報の構成の一例を示す図である。図３（ｂ）に示されるように、識別情報は、一例として、図３（ａ）の印刷日、有効期限、ファイル名およびパスワードを、この順で接続した情報である。すなわち、識別情報は、印刷日、有効期限、ファイル名およびパスワードから構成される。
【００４９】
図３（ｃ）は、識別情報内にアルファベットが存在する場合、当該アルファベットを、ＡＳＣＩＩコードに変換することにより、１６進数で表現した識別情報を示す。
【００５０】
なお、識別情報の構成は、印刷日、有効期限、ファイル名およびパスワードを、この順で接続した情報を、１６進数で表現した構成に限定されない。
【００５１】
例えば、セキュリティーを向上するために、印刷日、有効期限、ファイル名およびパスワードの接続順序に一定の規則を設け、当該規則に従った順序で、印刷日、有効期限、ファイル名およびパスワードを接続した情報を、識別情報としてもよい。また、識別情報を、汎用の暗号化技術などを用いてさらに複雑化してもよい。
【００５２】
パスワードは、印刷日、有効期限、画像のファイル名とは異なり、プリント端末１００において設定でき、かつ、独自性のある文字列を構成できる。そのため、本実施の形態では、識別情報を構成する要素の１つとしてパスワードを利用している。なお、パスワードに限定されず、他の情報、例えば、電話番号等を用いて、識別情報を構成してもよい。
【００５３】
再び、図２を参照して、パスワードの設定後、ユーザーは、アドレス取得装置１８０を利用して、蓄積対象画像の識別情報を添付した電子メールの宛先であるメールアドレスを入力する。これにより、アドレス取得装置１８０は、メールアドレスを取得する（Ｓ１５０）。以下においては、ステップＳ１５０において取得されたメールアドレスを、取得メールアドレスともいう。
【００５４】
ここで、ユーザーは、ユーザーが携帯している携帯通信端末４００に設定されたメールアドレスが記録された磁気カードを所持しているとする。上記磁気カードは、例えばコンビニエンスストアなどのショップにおいて発行された会員カードである。なお、磁気カードには、メールアドレス以外の会員情報も記録されている。
【００５５】
具体的には、ユーザーが、メールアドレスが記録された磁気カードを、アドレス取得装置１８０に接触させる。前述したように、磁気カードに記録されたメールアドレスは、ユーザーが携帯している携帯通信端末４００に設定されたメールアドレスである。
【００５６】
この場合、アドレス取得装置１８０は、磁気カードに記録されたメールアドレスを取得する。以上のアドレス取得装置１８０を利用した方法により、ユーザーは、簡単に、かつ、入力間違いが無く、メールアドレスを入力することができる。
【００５７】
なお、メールアドレスの入力方法は、アドレス取得装置１８０を利用した方法に限定されない。例えば、プリント端末１００が提示するガイダンスなどに従い、ユーザーが、入力部１６０を用いて、直接、メールアドレスを入力する方法であってもよい。
【００５８】
次に、ユーザーは、入力部１６０を用いて、蓄積対象画像に対し、図３（ａ）で説明した有効期限を設定する。これにより、識別情報処理部１７０は、設定された有効期限を取得する（Ｓ１６０）。
【００５９】
なお、蓄積対象画像が複数ある場合は、ユーザーは、蓄積対象画像毎に有効期限を設定する。有効期限は画像毎に設定できるため、長期間保存したい画像と短期間保存したい画像がある場合には便利である。しかしながら、画像毎の設定が面倒な場合は、各画像に対し、一律同じ有効期限を設定できるようプリント端末１００は動作してもよい。
【００６０】
前述したように、有効期限は、画像蓄積サーバー２００が、蓄積対象画像を蓄積している期限である。有効期限は、主に、蓄積対象画像が画像蓄積サーバー２００から流出した場合などの最悪のケースを想定し、必要以上の期間にわたって、画像蓄積サーバー２００に蓄積しないことを目的として利用される。また、有効期限は、画像蓄積サーバー２００に、長期間にわたって同一画像が蓄積されることによるサーバー容量の増大化を防ぐことも目的として利用される。
【００６１】
詳細は後述するが、設定された有効期限は、識別情報の一部として、蓄積対象画像とともに、画像蓄積サーバー２００に蓄積される。
【００６２】
次に、ユーザーは、プリント端末１００による指示に従い、料金精算器１４０に設けられた料金投入口に料金を投入する。これにより、料金精算器１４０は、料金を取得する（Ｓ１７０）。ここで、取得される料金は、印刷対象画像（蓄積対象画像）を印刷するための料金と、蓄積対象画像を画像蓄積サーバー２００にアップロードするための料金との合計料金である。当該合計料金は、制御部１０１が算出する。そして、料金精算器１４０は、取得した料金を精算する。
【００６３】
料金が取得されると、印刷部１５０は、印刷対象画像を、印刷メディアに印刷する（Ｓ１８１）。以下においては、画像（印刷対象画像）が印刷された印刷メディアを、印刷物ともいう。そして、プリント端末１００は、印刷物を外部に排出する（Ｓ１９０）。これにより、ユーザーは、印刷物を受け取る。そして、印刷サービスは完了する。
【００６４】
また、ステップＳ１８１の処理と並行して、制御部１０１は、メール配信部１９０は、印刷された印刷対象画像のうち、ユーザーによって選択された蓄積対象画像のサムネール画像を生成する（Ｓ１８２）。サムネール画像は、例えば、図４に示される画像である。
【００６５】
次に、識別情報処理部１７０は、詳細は後述するが、識別コードを生成する（Ｓ１８３）。識別コードは、印刷部１５０により印刷された画像（印刷対象画像）の識別情報をコードに変換したコードである。すなわち、印刷された画像の識別情報は、有効期限を含む。識別コードは、例えば、図５に示されるＱＲコード（登録商標）である。
【００６６】
ここで、印刷対象画像が印刷された印刷日、ステップＳ１６０で取得された有効期限、蓄積対象画像のファイル名、および、ステップＳ１４０で取得されたパスワードは、それぞれ、図３（ａ）に示される印刷日、有効期限、ファイル名およびパスワードであるとする。
【００６７】
この場合、識別情報処理部１７０は、図３（ａ）の印刷日、有効期限、ファイル名およびパスワードを用いて、図３（ｃ）の識別情報を生成する。そして、識別情報処理部１７０は、生成した識別情報を、コード（画像）で表現したＱＲコード（登録商標）に変換する。
【００６８】
次に、識別情報処理部１７０は、ＱＲコード（登録商標）の画像形式を、ＪＰＥＧ（Joint Photographic Experts Group）フォーマットに変換する。以上により、識別コードとしてのＱＲコード（登録商標）が生成される。
【００６９】
なお、識別情報処理部１７０が生成する識別コードは、ＱＲコード（登録商標）等の２次元コードに限定されず、例えば、バーコードであってもよい。
【００７０】
次に、メール配信部１９０は、少なくとも識別コードを添付した電子メールを、携帯通信端末４００に設定されたメールアドレスを利用して、携帯通信端末４００へ配信する。
【００７１】
具体的には、まず、メール配信部１９０は、生成された識別コードおよびサムネール画像を添付した電子メール（以下、情報添付電子メールともいう）を生成する。そして、メール配信部１９０は、ステップＳ１５０により取得された取得メールアドレス宛の当該情報添付電子メールを、インターネット１１へ配信する（Ｓ１８４）。
【００７２】
メールサーバー３００は、インターネット１１を介して、情報添付電子メールを受信し、当該情報添付電子メールを、取得メールアドレス宛へ送信する。取得メールアドレスは、携帯通信端末４００に設定されたメールアドレスである。これにより、ユーザーが所持している携帯通信端末４００は、情報添付電子メールを受信する。
【００７３】
また、ステップＳ１８１の処理と並行して、制御部１０１は、ネットワークＩ／Ｆ１０２を利用して、ステップＳ１３０において選択された蓄積対象画像と、当該蓄積対象画像の識別情報とを、画像蓄積サーバー２００へ送信（アップロード）する（Ｓ１８５）。送信される当該識別情報は、例えば、図３（ｃ）に示される識別情報である。
【００７４】
次に、蓄積対象画像および識別情報が送信された場合における、画像蓄積サーバー２００の動作について説明する。
【００７５】
制御部２２０は、ステップＳ１８５の処理により、ネットワークＩ／Ｆ２０２を介して、蓄積対象画像および識別情報を受信した場合、受信した蓄積対象画像と、受信した識別情報とを対応づけて、蓄積部２１０に蓄積（格納）する。
【００７６】
具体的には、制御部２２０は、蓄積対象画像および識別情報を受信する毎に、蓄積部２１０内にディレクトリ２１１を生成し、当該ディレクトリ２１１内に、受信した蓄積対象画像および識別情報を対応づけて蓄積する。識別情報は、当該識別情報に対応する画像（蓄積対象画像）を識別するための情報である。
【００７７】
ステップＳ１８５の処理が行われる毎に、制御部２２０は、新たなディレクトリ２１１を生成し、当該ディレクトリ２１１内に、受信した蓄積対象画像および識別情報を対応づけて蓄積する。これにより、蓄積部２１０には、画像（蓄積対象画像）および識別情報を対応づけて蓄積する複数のディレクトリ２１１が生成される。
【００７８】
なお、図２の印刷処理において、同一のユーザーが、プリント端末１００において、同一のパスワードを利用して、画像を印刷するための操作を複数回行った場合、当該パスワードには、複数の画像が対応づけられる。
【００７９】
なお、画像蓄積サーバー２００は、他の処理とは独立して、有効期限判定処理を行っている。有効期限判定処理では、有効期限管理部２２２が、各ディレクトリ２１１内の識別情報に含まれる、識別情報処理部２２１により抽出された有効期限が切れているか否かを判定（監視）している。有効期限が切れているとは、当該有効期限が示す日付が、現在の日付より後になっていることである。
【００８０】
有効期限管理部２２２は、有効期限が切れている当該有効期限を含む識別情報が存在する場合、有効期限管理部２２２は、当該識別情報を含むディレクトリ２１１を削除する。すなわち、有効期限管理部２２２は、当該識別情報と、当該識別情報に対応する画像を削除する。有効期限管理部２２２は、以上の有効期限判定処理を、常時、行っている。
【００８１】
次に、情報添付電子メールを用いて、画像蓄積サーバー２００が蓄積（格納）している画像を、再度印刷する処理（以下、再印刷処理ともいう）について説明する。
【００８２】
図６は、再印刷処理のフローチャートである。ここで、前述のステップＳ１８４の処理により、ユーザーが所持している携帯通信端末４００は、情報添付電子メールを受信しているとする。
【００８３】
まず、ユーザーは、プリント端末１００を操作することにより、プリント端末１００が識別コードを取得可能な状態にする。
【００８４】
また、ユーザーは、携帯通信端末４００を操作することにより、情報添付電子メールに添付されている識別コードを、携帯通信端末４００の画面に表示させる。次に、識別コードが表示された画面を、識別情報取得部１９１のカメラ（図示せず）にかざす。すなわち、ユーザーは、識別コードを、識別情報取得部１９１に取得させる操作を行う。
【００８５】
これにより、識別情報取得部１９１は、図示しないカメラを利用して、識別コードを読取ることにより、当該識別コードを取得する（Ｓ２１０）。すなわち、プリント端末１００は、識別コードを取得する。そして、識別情報取得部１９１は、読み取られた識別コードを解析することにより、識別コードに含まれる識別情報を取得する。以下においては、ステップＳ２１０の処理により取得された識別コードに含まれる識別情報を、取得識別情報ともいう。
【００８６】
取得識別情報は、例えば、図３（ｂ）に示される識別情報であるとする。この場合、識別情報取得部１９１は、図３（ａ）に示される印刷日、有効期限、ファイル名およびパスワードを取得する。
【００８７】
そして、識別情報取得部１９１は、取得識別情報を、画像取得部１３０へ送信する。これにより、画像取得部１３０は、識別情報取得部１９１を介して、携帯通信端末４００から識別情報（取得識別情報）を取得する。
【００８８】
なお、識別情報取得部１９１に識別コードを取得させる方法は、携帯通信端末４００を利用する方法に限定されない。例えば、ユーザーが、裏面に識別コードが印刷された印刷メディアを、識別情報取得部１９１のカメラ（図示せず）にかざすことにより、識別情報取得部１９１に識別コードを取得させてもよい。
【００８９】
また、ユーザーは、識別コードを識別情報取得部１９１に取得させる前に、以下の操作を行ってもよい。具体的には、ユーザーは、携帯通信端末４００を操作することにより、情報添付電子メールに添付されているサムネール画像を、携帯通信端末４００の画面に表示させることにより、当該サムネール画像を確認することができる。これにより、当該サムネール画像の元画像を印刷前に確認することができる。
【００９０】
次に、制御部１０１は、取得識別情報と同じ識別情報が存在するか否かを判定する（Ｓ２１１）。具体的には、制御部１０１は、取得識別情報と同じ識別情報が蓄積部２１０に蓄積されているか否かを判定する。
【００９１】
ステップＳ２１１においてＹＥＳならば、処理は、ステップＳ２２０に移行する。一方、ステップＳ２１１においてＮＯならば、制御部１０１は、表示部１１０に、有効期限が切れている旨を示すメッセージＡを表示させる。そして、この再印刷処理は終了する。
【００９２】
メッセージＡは、例えば、「印刷対象の画像の有効期限が切れているため、当該画像はサーバーからダウンロードできず、印刷できません」というメッセージである。メッセージＡにより、有効期限が切れている旨をユーザーに報知することができる。なお、有効期限が切れている旨は、音声出力部１２０が出力する音声により報知されてもよい。
【００９３】
ステップＳ２１１でＮＯである場合は、例えば、前述の有効期限判定処理により識別情報が削除されている場合、画像蓄積サーバー２００に再印刷の対象の画像がアップロードされていない場合等である。
【００９４】
次に、画像を取得するための画像取得処理が行われる（Ｓ２２０）。ステップＳ２１０によりプリント端末１００が携帯通信端末４００から識別コードを取得した場合、画像取得処理では、画像取得部１３０は、該識別コードに含まれる識別情報に対応する画像を画像蓄積サーバー２００へ要求することにより、該画像を画像蓄積サーバー２００から取得する。
【００９５】
具体的には、画像取得部１３０は、取得識別情報に対応する画像を取得（ダウンロード）するための取得要求を、ネットワークＩ／Ｆ１０２およびインターネット１１を介して、画像蓄積サーバー２００へ送信する。当該取得要求には、取得識別情報が示される。
【００９６】
制御部２２０（識別情報処理部２２１）は、取得要求を受信すると、当該取得要求が示す取得識別情報に対応する画像を、蓄積部２１０から読み出し、読み出した画像を、プリント端末１００へ送信する。
【００９７】
これにより、画像取得部１３０は、取得識別情報に対応する画像を、画像蓄積サーバー２００から取得（ダウンロード）する。以下においては、ステップＳ２２０の処理により画像蓄積サーバー２００から取得された画像を取得画像ともいう。
【００９８】
次に、制御部１０１は、取得画像を、表示部１１０に表示させる（Ｓ２３０）。これにより、ユーザーが、印刷を希望する画像を確認することができる。
【００９９】
次に、ユーザーは、入力部１６０を用いて、表示されている画像（取得画像）を印刷する印刷メディア、印刷サイズおよび印刷枚数の選択を行う。これにより、制御部１０１は、選択された印刷メディア、印刷サイズおよび印刷枚数を認識する（Ｓ２４０）。印刷メディア、印刷サイズおよび印刷枚数は、前述したので詳細な説明は繰り返さない。
【０１００】
次に、ユーザーは、プリント端末１００による指示に従い、料金精算器１４０に設けられた料金投入口に料金を投入する。これにより、プリント端末１００は、料金を取得する（Ｓ２５０）。
【０１０１】
料金が取得されると、印刷部１５０は、取得画像を、印刷メディアに印刷する（Ｓ２６０）。以下においては、画像（取得画像）が印刷された印刷メディアを、印刷物ともいう。
【０１０２】
そして、プリント端末１００は、印刷物を外部に排出する（Ｓ２７０）。これにより、ユーザーは、印刷物を受け取る。
【０１０３】
以上説明した再印刷処理により、画像蓄積サーバー２００に印刷対象の画像をアップロードしておけば、一度印刷した画像を再印刷する場合、プリント端末１００において、ユーザーは、識別コードが表示された画面を識別情報取得部１９１のカメラ（図示せず）にかざすだけでよい。すなわち、一度印刷した画像を再印刷する場合、ユーザーＩＤ、パスワード等を入力する必要がない。そのため、画像蓄積サーバー２００に蓄積された画像を迅速に、簡単にかつ確実に印刷することができる。また、ユーザーＩＤ、パスワード等の誤入力を防止できる。
【０１０４】
また、画像毎に有効期限を設定しているため、当該画像を公開する期間の最適な設定ができる。また、画像蓄積サーバー２００は、画像と、当該画像の識別情報とを対応づけて蓄積する。そのため、ユーザーが画像を公開する際に、画像単位での公開を簡易に行うことができる。
【０１０５】
なお、ユーザーＩＤ、パスワード等の入力の手間を省くために、印刷メディアの裏面に識別コードを印刷するという方法も考えられる。この場合、プリント端末において、印刷メディアの裏面に識別コードを印刷する機構（背面印刷プリンタ）が必要となる。また、この場合、プリント端末に印刷を行わせる毎に、裏面に識別コードが印刷された印刷メディアを、ユーザーは、プリント端末まで持参する必要があり、その度、印刷メディアが汚れたり、破損するという問題があった。
【０１０６】
しかしながら、本実施の形態では、携帯通信端末を利用するため、背面印刷プリンターが不要であり、プリント端末のコストダウンが図れるとともに、印刷物を持参することなく、再印刷ができる。
【０１０７】
（その他の変形例）
以上、本発明に係るプリント端末について、前記実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態を適宜、変形、省略することが可能である。
【０１０８】
例えば、プリント端末１００において、ユーザーが、入力部１６０を用いて、事前に、同一パスワードに対応づけられた画像をすべてダウンロード（取得）するように設定しておいてもよい。この場合、再印刷処理のステップＳ２２０では、以下の画像取得処理Ａが行われる。
【０１０９】
画像取得処理Ａでは、画像取得部１３０が、取得識別情報に含まれるパスワードに対応する複数の画像を取得（ダウンロード）するための取得要求Ａを、ネットワークＩ／Ｆ１０２およびインターネット１１を介して、画像蓄積サーバー２００へ送信する。当該取得要求Ａには、取得識別情報に含まれるパスワードが示される。
【０１１０】
制御部２２０（識別情報処理部２２１）は、取得要求Ａを受信すると、当該取得要求が示すパスワードに対応する複数の画像を、蓄積部２１０から読み出し、読み出した複数の画像を、プリント端末１００へ送信する。
【０１１１】
これにより、画像取得部１３０は、パスワードに対応する複数の画像を、画像蓄積サーバー２００から取得（ダウンロード）する。すなわち、プリント端末１００は、パスワードに対応する複数の画像を、画像蓄積サーバー２００から取得する。
【０１１２】
そして、ステップＳ２６０の処理において、印刷部１５０は、取得した複数の画像の各々を、順次、印刷メディアに印刷する。
【０１１３】
この場合、同一パスワードに対応する複数の画像を同時にダウンロードすることができる。そのため、複数の画像を再印刷する場合における、印刷手順を大幅に簡易化することができる。
【０１１４】
なお、印刷部１５０は、取得した複数の画像のうち、ユーザーにより選択された画像のみを印刷メディアに印刷してもよい。すなわち、印刷部１５０は、取得した複数の画像の少なくとも１つを印刷する。
【０１１５】
また、再印刷処理で印刷する画像は、一度、プリント端末１００において印刷された画像としたがこれに限定されない。再印刷処理で印刷する画像は、プリント端末１００により印刷されていない画像であって、かつ、プリント端末１００から画像蓄積サーバー２００にアップロードされた画像であってもよい。
【０１１６】
また、ステップＳ１８４の処理では、メール配信部１９０が、携帯通信端末４００以外の他の携帯通信端末へも、識別コードおよびサムネール画像を添付した電子メールを転送してもよい。この場合、他の携帯通信端末を所持する他のユーザーが、プリント端末１００により特定の画像のみを再印刷することができる。
【０１１７】
また、プリント端末１００は、図１に示される全ての構成要素を含まなくてもよい。すなわち、プリント端末１００は、本発明の効果を実現できる最小限の構成要素のみを含めばよい。例えば、プリント端末１００は、印刷部１５０、メール配信部１９０および画像取得部１３０のみを含む構成であってもよい。
【０１１８】
また、本発明は、プリント端末１００が備える特徴的な構成部の動作をステップとする画像印刷方法として実現してもよい。また、本発明は、そのような画像印刷方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１１９】
上記実施の形態で用いた全ての数値は、本発明を具体的に説明するための一例の数値である。すなわち、本発明は、上記実施の形態で用いた各数値に制限されない。
【０１２０】
また、本発明に係る画像印刷方法は、図２の印刷処理および図６の再印刷処理の一部に相当する。本発明に係る画像印刷方法は、図２または図６における、対応する全てのステップを必ずしも含む必要はない。すなわち、本発明に係る画像印刷方法は、本発明の効果を実現できる最小限のステップのみを含めばよい。例えば、本発明に係る画像印刷方法は、ステップＳ１８１，Ｓ１８３，Ｓ１８４，Ｓ２１０，Ｓ２２０，Ｓ２６０等を含む方法であってもよい。
【０１２１】
また、画像印刷方法における各ステップの実行される順序は、本発明を具体的に説明するための一例であり、上記以外の順序であってもよい。また、画像印刷方法におけるステップの一部と、他のステップとは、互いに独立して並列に実行されてもよい。
【０１２２】
なお、プリント端末１００の各構成要素の一部は典型的には集積回路であるＬＳＩ（Large Scale Integration）として実現されてもよい。例えば、制御部１０１、識別情報処理部１７０、アドレス取得装置１８０、メール配信部１９０および識別情報取得部１９１は、集積回路として実現されてもよい。
【０１２３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１２４】
本発明は、画像蓄積サーバーに蓄積された画像を迅速に印刷することができるプリント端末として、利用することができる。
【符号の説明】
【０１２５】
１１  インターネット、１００  プリント端末、１３０  画像取得部、１５０  印刷部、１９０  メール配信部、２００  画像蓄積サーバー、２１０  蓄積部、３００  メールサーバー、４００  携帯通信端末、１０００  プリントシステム。
【図１】
2013146915.tif 000003
【図２】
2013146915.tif 000004
【図３】
2013146915.tif 000005
【図４】
2013146915.tif 000006
【図５】
2013146915.tif 000007
【図６】
2013146915.tif 000008